(57)【要約】      （修正有）【課題】制御回路板がリアプレートと密接に接触するバックライトモジュール及びそれを用いる表示装置を提供する。【解決手段】バックライトモジュール１００は、光源ユニット１２０と、制御回路板１３０と、検出ユニット１４０を含む。光源ユニットは、リアプレート１１０の内側に設置されて光線を生成するために用いられる。制御回路板は、リアプレートの外側に設置され且つ前記リアプレートと密接に接触し、また、光源ユニットを電気的に接続される。検出ユニットは、リアプレートの外側に設置され且つ制御回路板と電気的に接続される。【選択図】図１
0003143499.tif 000002
【実用新案登録請求の範囲】
【請求項１】
表示装置に用いるバックライトモジュールであって、
リアプレートと、
前記リアプレートの内側に設置され、光線を発するために用いられる光源ユニットと、
前記リアプレートの外側に設置され、前記リアプレートに密接に接触し、前記光源ユニットと電気的に接続される制御回路板と、
前記リアプレートの外側に設置され、前記制御回路板と電気的に接続される検出ユニットと、
を含む、
バックライトモジュール。
【請求項２】
前記制御回路板は、対向する第一の面と第二の面を有し、前記第一の面は、前記リアプレートに密接に接触し、前記検出ユニットは、前記第二の面に設置される、
請求項１に記載のバックライトモジュール。
【請求項３】
前記リアプレートは、第一の穴を有し、前記制御回路板は、第二の孔を有し、前記第一の孔は、前記第二の孔と対向し、前記検出ユニットの受光面は、前記第一の孔と前記第二の孔に面し、前記第一の孔と前記第二の孔を経由して前記光源ユニットにより生成された一部の光源を受け取る、
請求項２に記載のバックライトモジュール。
【請求項４】
前記検出ユニットは、本体と接続部を有し、前記接続部は、前記制御回路板と電気的に接続され、前記受光部と前記接続部は、実質的に、前記本体の同じ面に位置する、
請求項３に記載のバックライトモジュール。
【請求項５】
導光管をさらに含み、
前記導光管は、前記第一の孔と前記第二の孔を貫通する、
請求項３に記載のバックライトモジュール。
【請求項６】
回路板をさらに含み、
前記制御回路板は、対向する第一の面と第二の面を有し、前記第一の面は、前記リアプレートの底部に密接に接触し、前記回路板の一端は、前記リアプレートの側部に設置され、前記回路板の他の端は、前記制御回路板の前記第二の面に設置されて前記制御回路板と電気的に接続され、前記検出ユニットは、前記回路板の前記他の端に設置される、
請求項１に記載のバックライトモジュール。
【請求項７】
前記回路板は、軟性回路板である、
請求項６に記載のバックライトモジュール。
【請求項８】
ゴムフレーム、光学シート材及び回路板をさらに含み、
前記ゴムフレームは、前記リアプレートの上方に設置されて前記光学シート材を固定するために用いられ、前記回路板の一端は、前記ゴムフレームの側部に設置され、前記回路板の他の端は、前記制御回路板と電気的に接続され、前記検出ユニットは、前記回路板の前記他の端に設置される、
請求項１に記載のバックライトモジュール。
【請求項９】
前記光源ユニットは、複数の発光ダイオードである、
請求項１に記載のバックライトモジュール。
【請求項１０】
表示パネルと、
前記表示パネルにバックライトを提供するためのバックライトモジュールと、
を含み、
前記バックライトモジュールは、
リアプレートと、
前記リアプレートの内側に設置され、光線を発するために用いられる光源ユニットと、
前記リアプレートの外側に設置され、前記リアプレートに密接に接触し、前記光源ユニットと電気的に接続される制御回路板と、
前記リアプレートの外側に設置され、前記制御回路板と電気的に接続される検出ユニットと、
を含む、
表示装置。
【請求項１１】
前記制御回路板は、対向する第一の面と第二の面を有し、前記第一の面は、前記リアプレートと密接に接触し、前記検出ユニットは、前記第二の面に設置される、
請求項１０に記載のバックライトモジュール。
【請求項１２】
前記リアプレートは、第一の穴を有し、前記制御回路板は、第二の孔を有し、前記第一の孔は、前記第二の孔と対向し、前記検出ユニットの受光面は、前記第一の孔と前記第二の孔に面し、前記第一の孔と前記第二の孔を経由して前記光源ユニットにより生成された一部の光源を受け取る、
請求項１１に記載のバックライトモジュール。
【請求項１３】
前記検出ユニットは、本体と接続部を有し、前記接続部は、前記制御回路板と電気的に接続され、前記受光部と前記接続部は、実質的に、前記本体の同じ面に位置する、
請求項１２に記載のバックライトモジュール。
【請求項１４】
前記バックライトモジュールは、導光管をさらに含み、
前記導光管は、前記第一の孔と前記第二の孔を貫通する、
請求項１２に記載のバックライトモジュール。
【請求項１５】
回路板をさらに含み、
前記制御回路板は、対向する第一の面と第二の面を有し、前記第一の面は、前記リアプレートの底部と密接に接触し、前記回路板の一端は、前記リアプレートの側部に設置され、前記回路板の他の端は、前記制御回路板の前記第二の面に設置されて前記制御回路板と電気的に接続され、前記検出ユニットは、前記回路板の前記他の端に設置される、
請求項１０に記載のバックライトモジュール。
【請求項１６】
前記回路板は、軟性回路板である、
請求項１５に記載のバックライトモジュール。
【請求項１７】
前記バックライトモジュールは、ゴムフレーム、光学シート材及び回路板をさらに含み、
前記ゴムフレームは、前記リアプレートの上方に設置されて前記光学シート材を固定するために用いられ、前記回路板の一端は、前記ゴムフレームの側部に設置され、前記回路板の他の端は、前記制御回路板と電気的に接続され、前記検出ユニットは、前記回路板の前記他の端に設置される、
請求項１０に記載のバックライトモジュール。
【請求項１８】
前記光源ユニットは、複数の発光ダイオードである、
請求項１０に記載のバックライトモジュール。
【考案の詳細な説明】
【技術分野】
【０００１】
本考案は、バックライトモジュール及びそれを用いる表示装置に関し、特に、制御回路板がリアプレートと密接に接触するバックライトモジュール及びそれを用いる表示装置に関する。
【背景技術】
【０００２】
図１を参照する。従来のバックライトモジュール１００は、リアプレート１１０、光源ユニット１２０、制御回路板１３０、検出ユニット１４０及び導光管１５０を含む。光源ユニット１２０は、例えば、複数の発光ダイオードであり、リアプレート１１０の内底面上に均一に分布するように設置され、リアプレート１１０の外の制御回路板１３０と電気的に接続される。検出ユニット１４０は、底部のピンが制御回路板１３０と電気的に接続され、且つ、過飽和を避けるためにリアプレート１１０に対向する制御回路板１３０の表面上に設置されると共にリアプレート１１０との間に一定の距離を保つ。この時、検出ユニット１４０の頂部の受光面は、導光管１５０の導光効果により光源ユニット１２０の混光または発光輝度を検知する。制御電路板１３０上の関連する制御回路は、検出ユニット１４０により光信号から変換された電気信号を受け取った後に、該電気信号と予め記憶されたデータとの比較処理を行い、そして、この比較処理の結果に基づいて光源ユニット１２０に対して駆動制御を行い、このようなフィードバック調整により、光源ユニット１２０が所望の輝度に達するようにさせる。
【０００３】
しかしながら、制御回路板１３０上の他の集積素子が検出ユニット１４０と共に同じ面（即ち、制御回路板１３０とリアプレート１１０との間）に設置されれば、素子とリアプレート１１０との間に生じる機構干渉の防止や放熱の考慮などのために、一般的に、制御回路板１３０とリアプレート１１０との間の距離を増大し、或いは、導光管１５０に対応するリアプレート１１０の底部の孔を増大する必要があるが、同時に、組み立てや配線が難しくなり、或いは、バックライトモジュール１００の輝度に影響を与えるなどの問題が引き起こされる。一方、他の素子が検出ユニット１４０とは異なる面に設置されれば、バックライトモジュール１００の体積を増加させる問題も明らかに有し、且つ、制御回路板１３０が、例えば、コストの高い両面プリント回路板を採用しなければならないので、バックライトモジュール１１０の製造コストを有効に抑えることができない。
【考案の開示】
【考案が解決しようとする課題】
【０００４】
本考案の目的は、制御回路板がリアプレートと密接に接触し、検出ユニットがリアプレートの外に設置されるバックライトモジュール及びそれを用いる表示装置を提供することにある。
【課題を解決するための手段】
【０００５】
前述した目的を達成するために、本考案の一実施例によるバックライトモジュールは、リアプレート、光源ユニット、制御回路板及び検出ユニットを含む。光源ユニットは、リアプレートの内側に設置されて光線を発するために用いられる。制御回路板は、リアプレートの外側に設置され且つリアプレートと密接に接触し、また、光源ユニットと電気的に接続される。検出ユニットは、リアプレートの外側に設置され、制御回路板と電気的に接続される。
【０００６】
また、本考案の一実施例による表示装置は、表示パネルとバックライトモジュールを含む。バックライトモジュールは、表示パネルにバックライトを提供するために用いられ、リアプレート、光源ユニット、制御回路板及び検出ユニットを含む。光源ユニットは、リアプレートの内側に設置されて光線を発するために用いられる。制御回路板は、リアプレートの外側に設置され且つリアプレートと密接に接触し、また、光源ユニットと電気的に接続される。検出ユニットは、リアプレートの外側に設置され、制御回路板と電気的に接続される。
【考案の効果】
【０００７】
本考案は、制御回路板がリアプレートと密接に接触し、検出ユニットがリアプレートの外に設置されるバックライトモジュール及びそれを用いる表示装置を提供する。これにより、バックライトの体積と製造コストを有効に抑えることができるのみならず、組み立て効率を向上することもでき、さらに、その発光輝度に影響を与えることもない。
【考案を実施するための最良の形態】
【０００８】
次に、添付した図面を参照しながら、本考案の好適な実施形態を詳細に説明する。
【０００９】
なお、次の各実施例の説明は、添付した図面を参照して行われたものであり、本考案の実施可能な特定の実施例を例として示すために用いられる。本考案に言及した方向の用語、例えば、上、下、前、後、左、右などは、添付した図面の方向を参考するためのみである。よって、以下に使用された方向の用語は、説明のために用いられ、本考案を制限するためのものでない。
【実施例１】
【００１０】
図２を参照する。本考案の第一の実施例に係る表示装置２００は、表示パネル２１０とバックライトモジュール２２０を含む。表示パネル２１０は、例えば、液晶表示パネルである。バックライトモジュール２２０は、表示パネル２１０にバックライトを提供するために用いられ、リアプレート２３１、ゴムフレーム２３２、光学シート材２４０、光源ユニット２５０、制御回路板２６０、検出ユニット２７０及び導光管２８０を含む。ゴムフレーム２３２は、リアプレート２３１の上方に設けられ、光学シート材２４０を固定するために用いられる。光源ユニット２５０は、例えば、複数の赤色、緑色及び青色の発光ダイオードを含み、アレー方式でリアプレート２３１の底面における出光面に設置される。
【００１１】
制御回路板２６０は、光源ユニット２５０に対して駆動制御を行うように光源ユニット２５０と電気的に接続される。制御回路板２６０は、例えば、単面ＰＣＢを板材として使用し、第一の面Ｓ１及び第二の面Ｓ２を有する。図２に示すように、制御回路板２６０の第一の面Ｓ１は、リアプレート２３１の底部の非出光面と密接に接触し、例えば、係止やネジ接続などの方式でリアプレート２３１に固設される。検出ユニット２７０及び制御回路板２６０上の他の集積素子は、制御回路板２６０の同じ面、即ち、第二の面Ｓ２に配置される。また、リアプレート２３１の底部及び制御回路板２６０上には、それぞれ、検出ユニット２７０の位置に対応する孔、例えば、２９１、２９２がある。これらの孔２９１、２９２を通過した導光管２８０は、リアプレート２３１の内側にある光源ユニット２５０により生成された光線を部分的にリアプレート２３１の外へ導き、検出ユニット２７０に届けさせる。なお、導光管を用いることは、光線を検出ユニットに導くことを助けるためのみであり、これは、本考案を限定するものでなく、光線は、孔２９１、２９２のみにより検出ユニットに達することもできる。
【００１２】
検出ユニット２７０は、例えば、光検出器、光ダイオードまたは光トランジスタである。図３を参照する。第一の実施例において、検出ユニット２７０は、本体２７１、接続部２７２（斜線区域で示す）及び受光部２７３を含み、接続部２７２と受光部２７３は、本体２７１の同じ面に位置する。図２において、接続部２７２は、制御回路板２６０の第二の面Ｓ２上の対応するピンまたは導線と電気的に接続され、受光部２７３は、導光管２８０により導かれて来た一部の光線を受け取るようにそれらの孔２９１、２９２に対向する。
【００１３】
光源ユニット２５０により生成された光線は、検出ユニット２７０に導かれた一部を除き、主に、光学シート材２４０を経由して表示パネル２１０に入射し、表示装置２００に所望の画面を表示させる。検出ユニット２７０は、受光部２７３により受け取った光信号を電気信号に変換し、接続部２７２を経由して制御回路板２６０に伝送し、光源ユニット２５０のこの時の輝度を知らせる。光源ユニット２５０に用いられる複数の発光ダイオードの輝度が必ずしも全て同じではなく（出荷時における個別の差異など）、且つ、時間の変化につれて発光効率が劣化することもあるので、制御回路板２６０が検出ユニット２７０を用いて光源ユニット２５０の輝度を検出し、そして、予め記憶された関連データとの比較処理を随時に行うことにより、光源ユニット２５０を駆動し、バックライトモジュール２２０全体の輝度を所望な効果に達させることができる。
【００１４】
また、従来技術に比べ、制御回路板２６０がリアプレート２３１と密接に接触するので、バックライトモジュール２２０の体積を有効に減少することができ、且つ、その輝度に影響を与えることもない。また、制御回路板２６０がコストの低い単面ＰＣＢを採用するほかに、検出ユニット２７０及び他の集積素子も全て同じ面に配置されることができるので、組み立て・製造及び後日の調整・校正・メンテナンスなどが従来技術よりさらに簡素化になる。
【実施例２】
【００１５】
図４を参照する。図４に示すように、本考案の第二の実施例に係る表示装置４００と第一の実施例との相違点は、バックライトモジュール４２０がさらに回路板４６１を含むことにある。回路板４６１は、例えば、軟性回路板であり、その一端が前記実施例と同じように係止またはネジ接続などの方式でリラプレート４３１の一側壁に固設され、他の一端が制御回路板４６０と電気的に接続される。この時、検出ユニット４７０は、図４に示すように、回路板４６１上に設置され、また、第一の実施例と類似する孔及び導光管４８０などの導光構造を用いてリアプレート４３１の側壁へ入射する一部の光源を受け取った後に、回路板４６１を経由し、変換されて来た電気信号を制御回路板４６０に伝送し処理を受けさせる。
【実施例３】
【００１６】
図５を参照する。図５に示すように、本考案の第三の実施例に係る表示装置５００と第二の実施例との相違点は、バックライトモジュール５２０の回路板５６１の一端がゴムフレーム５３２の一側辺に固設され、他の一端が前記実施例と同じように制御回路板５６０と電気的に接続されることにある。この時、図５に示すような、検出ユニット５７０が回路板５６１上における設置位置により分かるように、検出ユニット５７０は、光学シート材５４０の側辺から射出される光線の一部を受け取って、その後、回路板５６１を経由し、変換されてきた電気信号を制御回路板５６０に伝送し処理を受けさせる。
【００１７】
しかしながら、当業者にとって分かるように、本考案の技術は、前述した実施例に限られない。例えば、検出ユニットの数量及び分布位置は、検出結果の正確度を向上するように需要に応じて調整されても良い。また、制御回路板または回路板の固定方式は、組み立てや製造の考慮などに応じて設計されても良い。他の実施例において、検出ユニットは、図３に示す構造を使用することに限られず、即ち、受光部と接続部は、本体の異なる面に位置しても良く、あるいは、受光部は、他の幾何形状であっても良く、導光構造もそれに対応するように変更されることができる。言い換えると、バックライトモジュールの制御回路板がリアプレートと密接に接触し、これにより、バックライトの体積及び製造コストを減少することができれば、このような効果を実現できる全ての技術は、本考案の技術範囲に属する。
【００１８】
本考案の前述した実施例に開示されたバックライトモジュール及びそれを用いる表示装置は、制御回路板がバックライトモジュールのリアプレートと密接に接触するようにさせることにより、検出ユニットが制御回路板上の集積素子と共に同じ面に設置されることができるものである。従って、バックライトモジュールの体積とコストを有効に減少し、組み立て効率を向上することができ、また、その発光輝度に影響を与えることもなく、さらに、後日の調整・校正・メンテナンスなどの作業が従来技術よりさらに簡素化になる。
【００１９】
本考案が前述した好適な実施例に基づいて以上のように開示されたが、前述した好適な実施例は、本考案を限定するためのものでなく、当業者は、本考案の精神と範囲を離脱しない限り、本考案に対して些細な変更と潤色を行うことができるので、本考案の保護範囲は、添付した実用新案登録請求の範囲に定まったものを基準とする。また、本考案の何れの実施例又は実用新案登録請求の範囲は、本考案に開示された全ての目的又は利点又は特徴を達成する必要がない。また、要約の部分と考案の名称は、特許文献の検索を助けるためのみのものであり、本考案の権利範囲を限定するものでない。
【図面の簡単な説明】
【００２０】
【図１】従来のバックライトモジュールを示す略図である。
【図２】本考案の第一の実施例における表示装置を示す略図である。
【図３】図２に係る検出ユニットを示す略図である。
【図４】本考案の第二の実施例における表示装置を示す略図である。
【図５】本考案の第三の実施例における表示装置を示す略図である。
【符号の説明】
【００２１】
１００、２２０、４２０、５２０  バックライトモジュール
１１０、２３１、４３１、５３１  リアプレート
１２０、２５０、４５０、５５０  光源ユニット
１３０、２６０、４６０、５６０  制御回路板
１４０、２７０、４７０、５７０  検出ユニット
１５０、２８０、４８０、５８０  導光管
２００、４００、５００  表示装置
２１０、４１０、５１０  表示パネル
２３２、４３２、５３２  ゴムフレーム
２４０、４４０、５４０  光学シート材
２７１  本体
２７２  接続部
２９１、２９２  孔
【図１】
0003143499.tif 000003
【図２】
0003143499.tif 000004
【図３】
0003143499.tif 000005
【図４】
0003143499.tif 000006
【図５】
0003143499.tif 000007